(57)【要約】  本発明は、医療装置内に医療デバイスを保持するためのクランプのためのクランプ（１０）を提供する。クランプ（１０）は一対の対向する把持要素（１６）を含む。少なくとも１つの把持要素は該把持要素が該把持要素の間に配置されたときに、該医療機器の一部分に圧縮力を加えるように、実質的に回転可能に移動可能である。圧縮力は少なくとも１つの把持要素が一方向に回転する場合に増加し、逆方向に回転する場合に減少する。【選択図】図２
2022501081.tif 000002
【特許請求の範囲】
【請求項１】
医療装置内に医療デバイスを保持するためのクランプであって、前記クランプは、一対の対向する把持要素を含み、
前記把持要素の少なくとも１つは、前記把持要素の間に配置されたときに、前記医療デバイスの一部を把持し、前記一部に圧縮力を加えるように実質的に回転可能に移動可能であり、
前記圧縮力は前記把持要素の少なくとも１つが一方向に回転すると増加し、反対方向に回転すると減少する、
クランプ。
【請求項２】
前記把持要素の各々は回転可能に移動可能であり、前記圧縮力は、前記把持要素の各々によって提供される、請求項１に記載のクランプ。
【請求項３】
前記把持要素の各々が前記医療デバイスの部分と把持係合するために、複数の係合歯が配置された把持面を含む、請求項１または請求項２に記載のクランプ。
【請求項４】
各グリッパ要素が回転軸線を中心に回転し、該回転軸線が各グリッパ要素の中心からずれており、対応するグリッパ要素間の空間が各グリッパ要素が一方向に回転するときは減少し、各グリッパ要素が反対方向に回転するときは減少する、請求項３に記載のクランプ。
【請求項５】
各把持要素が、前記複数の係合歯に隣接して、前記把持要素の間に前記医療デバイスを軸方向に保持するための外向きに延在する段形成部を含む、請求項３または請求項４に記載のクランプ。
【請求項６】
前記把持要素の各々は実質的に弾性のエラストマー材料から形成された部分を含み、前記弾性のエラストマー材料は、前記医療デバイスの前記部分と接触したときに比較的高い摩擦係数を提供する、請求項１〜５のいずれか一項に記載のクランプ。
【請求項７】
前記把持要素が前記把持要素の間に配置されたときに、前記把持要素を回転付勢して前記医療デバイスの部分を把持する付勢手段を含む、請求項１〜６のいずれか一項に記載のクランプ。
【請求項８】
前記付勢手段は、各把持要素から延びるインローの間に懸架されたコイル張力バネを含む、請求項７に記載のクランプ。
【請求項９】
前記把持要素の各々は前記医療デバイスの部分がリードイン部分上に押されたときに、前記把持要素を分離するためのテーパ状のリードイン部分を含む、請求項１〜８のいずれか一項に記載のクランプ。
【請求項１０】
前記テーパ状のリードイン部分は、各把持要素の前面の少なくとも半分の周りに延在する、請求項９に記載のクランプ。
【請求項１１】
前記圧縮力は前記部分が前記把持要素の間に配置されたときに、前記医療デバイスの重量に比例する、請求項１〜１０のいずれか一項に記載のクランプ。
【請求項１２】
前記把持要素間の前記医療デバイスの部分の存在を検出する検出手段を含む、請求項１〜１１のいずれか一項に記載のクランプ。
【請求項１３】
前記検出手段は、検出構成と非検出構成との間に移動可能に取り付けられた検出バーを含む、請求項１２に記載のクランプ。
【請求項１４】
前記検出バーはそこから延在する細長いフラグ部材を含み、前記フラグ部材は、前記検出バーが前記非検出構成にあるときに光ビームを遮断するように適合される、請求項１３に記載のクランプ。
【請求項１５】
前記医療装置が消毒装置であり、前記クランプが前記消毒装置に取り外し可能に取り付けられている、請求項１〜１４のいずれか一項に記載のクランプ。
【請求項１６】
前記医療デバイスの部分は、前記医療デバイスのコード部分であることを特徴とする請求項１〜１５のいずれか一項に記載のクランプ。
【請求項１７】
前記医療デバイスが超音波プローブである請求項１〜１６のいずれか一項に記載のクランプ。
【請求項１８】
請求項１〜１７のいずれか一項に記載のクランプを含む医療装置。
【請求項１９】
前記医療装置が消毒装置である医療装置。
【発明の詳細な説明】
【技術分野】
【０００１】
本発明はクランプに関し、特に、医療装置用のクランプに関する。
【０００２】
本発明は消毒装置内に医療デバイス（ｍｅｄｉｃａｌ  ｄｅｖｉｃｅ）を固定するためのクランプとして開発されたものであり、本出願を参照して以下に説明する。しかしながら、本発明は、この特定の使用分野に限定されないことが理解されるのであろう。
【背景技術】
【０００３】
従来技術の以下の説明は本発明を適切な技術的状況に置き、関連する利点を完全に理解することを可能にすることを意図している。しかしながら、本明細書全体にわたる従来技術のいかなる議論も、そのような技術が広く知られているか、または当分野の一般的な知識の一部を形成することを容認するものと見なされるべきではない。
【０００４】
超音波プローブは、直腸内検査、膣内検査および食道検査ならびに表面使用を含む、種々の腔内処置のために使用される。これらのプローブは、プローブを制御コンソールに連結するために使用される電源コードおよびデータコードと一体的に構築される。
【０００５】
これらのプローブはほとんどの場合、完全に無菌である必要はないが、消毒に供される必要がある。このため、典型的には、中空の空洞を有する消毒装置が使用される。そのような装置が使用される場合、プローブは弾性クランプを使用してプローブのコードと係合し、それによって、プローブをキャビティ内の所定の位置にぶら下げることによって、キャビティ内の所定の位置に保持される。プローブが所定の位置に配置されると、消毒装置のドアを閉じることができ、それによって空洞を密封する。消毒プロセスが完了すると、装置のドアが開かれ、プローブのコードが弾性クランプから引き抜かれ、プローブが装置のために引き抜かれる。
【０００６】
いくつかの公知の消毒装置では弾性クランプがエラストマー材料のブロック、より具体的にはシリコーンゴムのブロックの形成である。ブロックは、超音波プローブのコードをその間に固定するためのスロットを画定する一対の対向した弾性レバー形成を含む。このスロットはコードの挿入時に拡張し、それによってコードに圧縮把持力を加える。弾性クランプからのコードの除去は、挿入プロセスを逆にして、レバー形成を再び拡大することによって達成される。
【０００７】
上述のように、弾性クランプを使用することに関する一つの問題はコードがスロットと平行に提示されるように、レバー形成の間にプローブのコードを挿入する際に、ユーザが注意しなければならないことである。この点に関して、この注意は、コードが正しく挿入されていることを確認するための追加の処理時間をもたらす。
【０００８】
これらのタイプの公知の弾性クランプに伴うさらなる潜在的な問題は、コード直径の大きな変化に理想的に適さないことである。より具体的には比較的小さいか、比較的大きな直径のコードは小さすぎるか、あるいは大きすぎる圧縮力のいずれかがそれぞれ印加されるレバーフォーメーションの間に理想的に収容することができない。この点に関して、２〜２０ｍｍの範囲のコード直径を有する１０００を超える表面および腔内超音波プローブが現在市販されていることを理解されたい。
【発明の概要】
【発明が解決しようとする課題】
【０００９】
本発明の目的は、従来技術の欠点の少なくとも１つを克服または改善すること、または有用な代替物を提供することである。
【００１０】
本発明の目的は、少なくとも１つの好ましい形態において、コード直径の比較的大きな変化に対応することができる消毒装置のためのクランプ装置を提供することである。
【００１１】
本発明のさらなる目的は、少なくとも１つの好ましい形態において、先行技術のクランプ装置と比較して使用がより迅速である消毒装置のためのクランプ装置を提供することである。
【課題を解決するための手段】
【００１２】
本発明によれば、医療装置内に医療デバイスを保持するためのクランプであって、一対の対向する把持要素を含むクランプが提供される。
前記把持要素の少なくとも１つは、前記把持要素の間に配置されたときに、前記医療デバイスの一部分に圧縮力を加えて把持するように実質的に回転可能に移動可能であり、
少なくとも１つの把持要素が一方向に回転するときは圧縮力が増加し、反対方向に回転するときは減少する。
【００１３】
一実施形態では把持要素の各々が実質的に回転可能に移動可能であり、圧縮力は把持要素の各々によって提供される。
【００１４】
一実施形態では、把持要素の各々が医療デバイスの部分との把持係合のために、把持要素上に配置された複数の係合歯を有する把持面を含む。
【００１５】
一実施形態では、各把持要素が回転軸線を中心に回転し、回転軸線は各把持要素の間の空間が各把持要素が一方向に回転する場合に減少し、各把持要素が反対方向に回転する場合に減少するように、各把持要素の中心から変位されている。
【００１６】
一実施形態では、各把持要素が把持要素間に医療デバイスを保持するために、複数の係合歯に隣接して外向きに延在する段部形成を含む。
【００１７】
一実施形態では把持要素の各々が実質的に弾性のエラストマー材料から形成された部分を含み、弾性のエラストマー材料は医療デバイスの部分と接触したときに比較的高い摩擦係数を提供する。
【００１８】
一実施形態では、クランプが把持要素が把持要素の間に配置されたときに、医療デバイスの部分を把持するために把持要素を回転的に付勢する付勢手段を含む。
【００１９】
一実施形態では、付勢手段が各把持要素から延びるインローの間に懸架されたコイル張力バネを含む。
【００２０】
一実施形態では、把持要素の各々が医療デバイスの部分がリードイン部分上に押されたときに把持要素を分離するためのテーパ状リードイン部分を含む。
【００２１】
一実施形態では、テーパ状リードイン部分が各把持要素の前面の少なくとも半分の周囲に延在する。
【００２２】
一実施形態では、圧縮力が医療デバイスが把持要素間に配置される部分のときの医療デバイスの重量に比例する。
【００２３】
一実施形態では、クランプが把持要素間の医療デバイスの部分の存在を検出するための検出手段を含む。
【００２４】
一実施形態では、検出手段が検出構成と非検出構成との間に移動可能に取り付けられた検出バーを含む。
【００２５】
一実施形態では検出バーが検出バーから延びる細長いフラグ部材を含み、フラグ部材は検出バーが非検出構成にあるときに光ビームを遮断するように適合される。
【００２６】
一実施形態では、医療装置は消毒装置であり、クランプは消毒装置に取り外し可能に取り付けられる。
【００２７】
一実施形態では、医療デバイスの部分が医療デバイスのコード部分である。
【００２８】
一実施形態では、医療デバイスは超音波プローブである。
【００２９】
一態様によれば、本発明は、上述のようなクランプを含む医療装置を提供する。
【００３０】
一実施形態では、医療装置は消毒装置である。
【００３１】
本明細書全体を通して「一実施形態」、「いくつかの実施形態」または「一実施形態」と言及することは実施形態に関連して記載された特定の特徴、構造または特性が本発明の少なくとも一実施形態に含まれることを意味し、したがって、本明細書全体を通して様々な箇所における「一実施形態において」、「いくつかの実施形態において」または「実施形態において」という語句の出現は必ずしもすべてが同じ実施形態を言及しているわけではなく、そうであってもよい。さらに、特定の特徴、構造、または特性は１つまたは複数の実施形態において、本開示から当業者には明らかであるように、任意の適切な方法で組み合わせることができる。
【００３２】
本発明の好ましい実施形態を、添付の図面を参照して、単に例として説明する。
【図面の簡単な説明】
【００３３】
【図１】図１は、本発明の一実施形態によるクランプを示す消毒装置の斜視図である。
【図２】図２は、消毒装置から取り外された図１のクランプの拡大斜視図である。
【図３】図３は、コードを把持するクランプ操作を示す図２のクランプの斜視図である。
【図４】ハウジングの後部を取り外した、図２のクランプの逆斜視図である。
【図５ａ】消毒装置から取り外された図２のクランプの逆斜視図であり、休止構成を示す。
【図５ｂ】消毒装置から取り外された図２のクランプの逆斜視図であり、検出構成を示す。
【発明を実施するための形態】
【００３４】
以下、本発明の実施の形態について、図面を参照して詳細に説明する。なお、各図において、同一の要素には同一の参照番号を付してある。以下の説明では、本明細書に組み込まれる既知の機能および構成の詳細な説明が簡潔さおよび明確さのために省略されている。
【００３５】
図１を参照すると、本発明の背景を最初に概説すると、医療デバイスを消毒するために、特に超音波プローブを消毒するために使用される消毒装置１００が示されている。
【００３６】
超音波プローブは、直腸内検査、膣内検査、および食道検査、ならびに出生前検査などの表面使用を含む、様々な腔内処置に使用される。これらのプローブは、プローブを制御コンソールに連結するために使用される電源コードおよびデータコードと一体的に構築される。プローブはほとんどの場合、完全に無菌である必要はないが、交差感染を防ぐために、通常、各使用の間に少なくとも高レベルの消毒を行う必要がある。
【００３７】
図示された装置を用いて超音波プローブを滅菌するために、ドア１０２が最初に開かれる。次いで、超音波プローブ１４が内部に配置され、所定の位置に固定される。次に、ドア１０２が閉じられ、消毒プロセスがユーザの起動によって開始される。この場合、消毒プロセスは超音波プローブの周りに分散し、渦を巻くために、ミスト化された消毒剤を導入することを含む。
【００３８】
本発明によれば、医療装置内に医療デバイスを固定するためのクランプ１０が提供される。図示の実施形態では、クランプ１０が超音波プローブ１４を消毒装置１００の内部の所定位置に固定する。クランプ１０は一般に、消毒装置の頂部に配置され、超音波プローブ１４のコード１２を把持して、プローブがチャンバ１０４内に吊り下げられることを可能にする。このようにプローブを吊るすことによって、ドア１０２を閉じることができ、消毒プロセスを開始することができる。図示の実施形態では、クランプ１０が保守および／または交換を容易にするために、消毒装置１００に取り外し可能に固定される。
【００３９】
図２は消毒装置１００から取り外されたクランプ１０を示しており、その作動構成要素を示している。クランプ１０は、一対の対向する把持要素１６を含む。把持要素の少なくとも１つは、第１の把持に回転可能に移動可能であり、その後、コードが把持要素１６の間に配置されると、超音波プローブ１４のコード１２に圧縮力を加える。この配置は、ひとたびコード１２が把持要素１６の間に配置されると、把持圧縮力が加えられ、次いでプローブを消毒装置内に保持することができるようなものである。本発明によれば、圧縮力は、少なくとも１つの把持要素１６によってコード１２に加えられる。この力は少なくとも１つの把持要素が一方向に回転すると増加するが、逆方向に回転すると減少する。
【００４０】
図示の実施形態では、両方の把持要素１６がハウジング１８に回転可能に取り付けられて、最初に把持し、次いで圧縮力を加える。同様に、コード１２に加えられる圧縮力は各把持要素が一方向に回転されるときに増加するが、逆方向に回転されるときには減少する。以下にさらに詳細に説明するように、把持要素とコードとの間の把持摩擦により、一旦コードが把持要素間に配置されると、プローブの重量によるコードへの下向きの力は、両方の把持要素を一方向に回転させて圧縮力を増加させる一方で、上向きの力は圧縮力を減少させることになる。
【００４１】
各把持要素は、その上に配置された複数の係合歯２２を有する湾曲した把持面２０を含む。さらに、図示の実施形態では、グリッパ要素の表面および係合歯がプローブのコード１２と接触したときに比較的高い摩擦係数を提供するエラストマー材料から形成される。より具体的には、図示の実施形態では各把持要素が弾性エラストマー層によって覆われた剛性プラスチック材料から形成される。
【００４２】
図示されていない他の実施形態では、薄い可撓性膜の形態の把持要素のための交換可能な保護カバーを設けて、プローブコードが把持要素またはクランプの任意の他の部分と接触しないようにすることができる。これらの状況では、プローブ間の相互汚染のいかなる機会も防止するために、使用の間に保護カバーを交換することが提案される。
【００４３】
各把持要素１６は、把持面２０の一端である一端に点形成部２４を有するほぼ楕円形である。把持要素１６は、各把持要素の回転軸線２８を規定するアクスル連結部２６を介してハウジング１８に回転可能に連結されている。分かるように、各回転軸２８は、一方向へのグリッパ要素１６の回転が対応する把持面２０間の空間を減少させ、それによって、一旦挿入されるとコードに加えられる圧縮力を増大させるように、中心からずれている。
【００４４】
各把持要素はまた、その前面３２を取り囲むテーパ状リードイン部分３０を含む。テーパ状リードイン部分はプローブのコード１２をその間に挿入する際に、選択的に回転し、したがって把持要素を分離する手段を提供するために設けられてきた。テーパ状のリードイン部分は、係合歯２２につながる段部３４で終端する。段差構造３４は歯が前面からのプローブのコードの挿入を妨害しないように、係合歯２２の周囲の上方に外向きに延在する。段差構造３４はまた、プローブのコード１２を所定の位置に軸方向に保持するように作用する。
【００４５】
図３を参照すると、グリッパ要素を分離した構成で、かつグリッパ要素１６の間にコードを有するクランプ１０が示されている。クランプは、各グリッパ要素１６の前面から背面に向かって、各グリッパ要素の回転軸に平行な方向にグリッパ要素１６の間に押し込むことによって、プローブのコード１２を挿入できるように設計されている。この押し込み運動は、コード１２をリードイン部分３０に対して押しつけ、それによって各グリッパ要素１６を回転的に分離する。
【００４６】
図示の実施形態ではテーパ付き引込部分３０は各グリッパ要素１６の完全な前面３２の周りに延在するが、挿入プロセス中に各グリッパ要素を分離するために、前面の半分の周りに延在するだけでよいことが理解されるべきである。しかしながら、２つのグリッパ要素１６が各クランプ１０に必要とされるので、２つの同一のアイテムを製造するのにより経済的である。従って、テーパ状リードイン部分は、完全な前面の周りに延在する。これはまた、グリッパ要素が有利に交換可能であることを可能にする。
【００４７】
次に、クランプ１０の裏側を示し、ハウジング１８の後端を取り外した状態の図４を参照する。把持要素１６を接触に付勢し、コード１２に予備的な圧縮力を与えるために付勢手段３６が設けられている。付勢手段３６はコイルばね３８を含み、コイルばねは、各把持要素１６の後部から突出するインロー４０の間に懸架されている。本発明の範囲から逸脱することなく、把持要素を接触状態に付勢するために、他の形態の付勢手段を設けることができることを理解されたい。これらの代替バイアス手段は、ねじりばね、プラスチックばね、金属板ばね、ゴムばね、磁気吸引、またはこれらの組合せを含み得る。
【００４８】
さらなる実施形態では、各把持要素１６の後部が把持要素１６が歯車係合で一緒に回転するように、歯車手段４２を含む。
【００４９】
図２に戻ると、本発明のクランプ１０はまた、プローブのコード１２が把持要素１６の間に完全に配置されたことを消毒装置１２または外部監視手段に示す手段を提供する。他の検出方法も可能であるが、図示の実施形態ではこのタスクを達成するために検出バー４４が設けられている。この検出バー４４は図２に示すように把持要素の間にコード１２が存在しない残りの部分構成の間でハウジング１８内に移動するように摺動可能に取り付けられ、図３に示すように把持要素１６の間にコードが配置される検出構成になっている。図示の実施形態では検出バー４４が図４に示す更なるコイルばね４６によって残りの部分構成に付勢されている。
【００５０】
ここで図５ａおよび５ｂを参照すると、一実施形態では、検出手段が検出バー４４の後部から延びるフラグ部材４８をさらに含む。フラグ部材４８はハウジング１８と摺動可能に係合され、図５ａに示されるように、検出バー４４と共に、図５ｂに示されるように、一旦プローブのコードがクランプに存在すると、検出構成へと、休止構成から移動することになる。図示の実施形態では、フラグ部材４８が休止構成において消毒装置によって生成される光ビームを遮断し、それによって、把持要素間に物体がまだ配置されていないことを装置に示す。検出バー４４が検出構成に移動すると、光ビームもはや遮断されず、それによって、物体が把持要素１６の間に正しく配置されたことを消毒装置に示す。
【００５１】
検出構成はコードがハウジング１８の前部に実質的に当接していることを示すように、検出バー４４がハウジング１８内に十分に押し込まれたときにのみ達成されることに留意することが重要である。消毒プロセスは、この条件が満たされると、消毒プロセスを進行させることができる。したがって、フラグ部材４８は、この状態が生じるまで光ビームが遮断されたままであるように構成され、較正される。このようにして、消毒装置は物体が把持要素の間に正しく配置されない限り、動作することができない。好ましい実施形態では、検出手段に動作可能に関連付けられた視覚インジケータが超音波プローブ１４のコード１２がクランプ１０に正しく取り付けられたときを示す。さらなる実施形態では、光ビームの位置が検出構成においてのみビームが中断されるように移動されてもよい。このような状況下では、クランプが光ビームが中断されたときに、物体が所定の位置にあることを装置に示そう。
【００５２】
クランプ１０を操作するために、使用者は単に、超音波プローブのコード１２、または消毒されるべき他の医療デバイスを、把持要素１６の間の領域に提示する。把持要素は、バイアス手段のため、この時点で最初に接触するべきである。次いで、ユーザは、コード１２をハウジング１８の前面に接触するまで単に押す。押し込みプロセスは、リードイン部分３０を作動させて、把持要素１６を自動的に回転させて分離させる。次いで、コードは、ハウジング１８の前面に接触するように完全に押し込むことができる。同時に、コードの下部はハウジング１８の前面と同一平面になるように検出バー４４を押し、それによって、コード１２が正しい位置にあることを消毒装置に示す。
【００５３】
再び付勢手段により、把持要素は一旦、この位置に達すると、自動的に回転してコードの側面を把持し、歯２２とコード１２との間に初期圧縮力および正の摩擦接触を提供する。次いで、プローブ１４の重量によるコードへの下向きの力は、一次圧縮力をコードに加えるために把持要素１６を互いに近づけて回転させるように作用するのであろう。この点において、より重い超音波プローブは、それらのコード上の圧縮力を増加させるので、同じ位置に均等に保持されるのであろうことが理解されるのであろう。
【００５４】
同様に、コードに対する上向きの力は把持要素を反対方向に回転させるように作用し、それによってコードに対する圧縮力を減少させる。従って、装置から超音波プローブを再配置するために、ユーザは装置内のプローブの高さを調節するために、単に上方に引き上げるだけである。
【００５５】
消毒プロセスが完了すると、装置から超音波プローブを引き抜くために、使用者は挿入力とは反対の方向に、上向きおよび外向きの力を組み合わせてコードに加える。有利なことに、このプロセスは、ユーザがコードを正しく方向付けることを心配する必要なく、迅速かつ容易に完了する。
【００５６】
有利には、本発明のクランプ１０が従来技術のクランプよりも広範囲のコード直径を収容することを可能にする。付勢手段３６によって与えられるバネ荷重の量のために、プローブがクランプに挿入されるときにプローブのコードに加えられる摩擦荷重又は擦り荷重の程度が最小限に抑えられ、それによって、繰り返し使用されることにわたってコードが損傷する可能性が少なくなる。クランプは、コードに加えられる圧縮荷重がプローブ自体の重量に比例することになるので、変化する異なるサイズの超音波プローブにも対応することができる。
【００５７】
また、本発明は従来技術のクランプと比較して、使用者がこれらの時点でコードの正確な整列に気を配らないために、殺菌装置への超音波プローブの迅速な挿入および引き抜きを有利に可能にする。
【００５８】
本発明は消毒装置内に医療デバイスを固定するためのクランプの文脈で説明されてきたが、クランプは本発明の範囲から逸脱することなく、他の医療デバイスと共に使用されてもよいことを理解されたい。
【００５９】
本発明の例示的な実施形態の上記の説明において、本発明の様々な特徴は開示を合理化し、様々な本発明の態様のうちの１つまたは複数の理解を助けるために、単一の実施形態、図、またはそれらの説明において一緒にグループ化されることがあることを理解されたい。しかし、この開示の方法は、特許請求される本発明が各特許請求の範囲に明示的に列挙されるよりも多くの特徴を必要とするという意図を反映するものとして解釈されるべきではない。むしろ、以下の特許請求の範囲が表すように、決して先に開示した単一の実施形態のすべての特徴に発明的要素が存在するわけではない。したがって、詳細な説明に続く特許請求の範囲は、本明細書によって、各特許請求の範囲が本発明の別個の実施形態としてそれ自体に立つ状態で、この詳細な説明に明確に組み込まれる。
【００６０】
本明細書で提供される説明では、多数の具体的な詳細が記載される。しかし、本発明の実施例を、こうした特定の詳細なしで実施し得るということが分かる。他の例では、この説明の理解を不明瞭にしないために、周知の方法、構造、および技法は詳細に示されていない。
【００６１】
本発明の好ましい実施形態であると考えられるものが記載されてきたが、当業者は本発明の精神から逸脱することなく、他の、およびさらなる修正がそれになされてもよく、本発明の範囲内にあるようなすべてのそのような変更および修正を請求することが意図されることを認識するのであろう。例えば、上記の任意の式は、使用され得る手順を単に代表するものである。機能はブロック図に追加されてもよいし、ブロック図から削除されてもよく、動作は、機能ブロック間で交換されてもよい。ステップは、本発明の範囲内で説明される方法に追加または削除されてもよい。
【図１】
2022501081.tif 000003
【図２】
2022501081.tif 000004
【図３】
2022501081.tif 000005
【図４】
2022501081.tif 000006
【図５ａ】
2022501081.tif 000007
【図５ｂ】
2022501081.tif 000008
【手続補正書】
【提出日】令和2年4月6日(2020.4.6)
【手続補正１】
【補正対象書類名】明細書
【補正対象項目名】００１２
【補正方法】変更
【補正の内容】
【００１２】
本発明によれば、医療装置内に医療デバイスを保持するためのクランプであって、一対の対向する把持要素を含むクランプが提供される。
前記把持要素の少なくとも１つは、前記把持要素の間に配置されたときに、前記医療デバイスの一部分に圧縮力を加えて把持するように実質的に回転可能に移動可能であり、
少なくとも１つの把持要素が一方向に回転するときは圧縮力が増加し、反対方向に回転するときは減少する。
各把持要素は前記医療デバイスの部分が導入部分上に押されたときに前記把持要素を分離するために、その前面上にテーパ状のリードイン部分を含む。
【手続補正２】
【補正対象書類名】明細書
【補正対象項目名】００２０
【補正方法】削除
【補正の内容】
【手続補正３】
【補正対象書類名】特許請求の範囲
【補正対象項目名】全文
【補正方法】変更
【補正の内容】
【特許請求の範囲】
【請求項１】
医療装置内に医療デバイスを保持するためのクランプであって、前記クランプは、一対の対向する把持要素を含み、
前記把持要素の少なくとも１つは、前記把持要素の間に配置されたときに、前記医療デバイスの一部を把持し、前記一部に圧縮力を加えるように実質的に回転可能に移動可能であり、
前記圧縮力は前記把持要素の少なくとも１つが一方向に回転すると増加し、反対方向に回転すると減少し、
前記把持要素の各々は前記医療デバイスの部分が導入部分上に押されたときに前記把持要素を分離するために、前面上にテーパ状のリードイン部分を含む、
クランプ。
【請求項２】
前記把持要素の各々は回転可能に移動可能であり、前記圧縮力は、前記把持要素の各々によって提供される、請求項１に記載のクランプ。
【請求項３】
前記把持要素の各々が前記医療デバイスの部分と把持係合するために、複数の係合歯が配置された把持面を含む、請求項１または請求項２に記載のクランプ。
【請求項４】
各グリッパ要素が回転軸線を中心に回転し、該回転軸線が各グリッパ要素の中心からずれており、対応するグリッパ要素間の空間が各グリッパ要素が一方向に回転するときは減少し、各グリッパ要素が反対方向に回転するときは減少する、請求項３に記載のクランプ。
【請求項５】
各把持要素が、前記複数の係合歯に隣接して、前記把持要素の間に前記医療デバイスを軸方向に保持するための外向きに延在する段形成部を含む、請求項３または請求項４に記載のクランプ。
【請求項６】
前記把持要素の各々は実質的に弾性のエラストマー材料から形成された部分を含み、前記弾性のエラストマー材料は、前記医療デバイスの前記部分と接触したときに比較的高い摩擦係数を提供する、請求項１〜５のいずれか一項に記載のクランプ。
【請求項７】
前記把持要素が前記把持要素の間に配置されたときに、前記把持要素を回転付勢して前記医療デバイスの部分を把持する付勢手段を含む、請求項１〜６のいずれか一項に記載のクランプ。
【請求項８】
前記付勢手段は、各把持要素から延びるインローの間に懸架されたコイル張力バネを含む、請求項７に記載のクランプ。
【請求項９】
前記テーパ状のリードイン部分は、各把持要素の前面の少なくとも半分の周りに延在する、請求項１〜８のいずれか一項に記載のクランプ。
【請求項１０】
前記圧縮力は前記部分が前記把持要素の間に配置されたときに、前記医療デバイスの重量に比例する、請求項１〜９のいずれか一項に記載のクランプ。
【請求項１１】
前記把持要素間の前記医療デバイスの部分の存在を検出する検出手段を含む、請求項１〜１０のいずれか一項に記載のクランプ。
【請求項１２】
前記検出手段は、検出構成と非検出構成との間に移動可能に取り付けられた検出バーを含む、請求項１１に記載のクランプ。
【請求項１３】
前記検出バーはそこから延在する細長いフラグ部材を含み、前記フラグ部材は、前記検出バーが前記非検出構成にあるときに光ビームを遮断するように適合される、請求項１２に記載のクランプ。
【請求項１４】
前記医療装置が消毒装置であり、前記クランプが前記消毒装置に取り外し可能に取り付けられている、請求項１〜１３のいずれか一項に記載のクランプ。
【請求項１５】
前記医療デバイスの部分は、前記医療デバイスのコード部分であることを特徴とする請求項１〜１４のいずれか一項に記載のクランプ。
【請求項１６】
前記医療デバイスが超音波プローブである請求項１〜１５のいずれか一項に記載のクランプ。
【請求項１７】
請求項１〜１６のいずれか一項に記載のクランプを含む医療装置。
【請求項１８】
前記医療装置が消毒装置である請求項１７に記載の医療装置。
【国際調査報告】
2022501081.tif 000009
2022501081.tif 000010
2022501081.tif 000011